(57)【特許請求の範囲】
【請求項１】
連結端面（９）が設けられた光導波路（７）をオプトエレクトロニクス素子（５）に接続するための連結装置であって、光導波路差込体（３）を収容する第１の収容領域（２）及び前記オプトエレクトロニクス素子（５）を収容する第２の収容領域（４）を有する連結ケーシング（１）と、前記連結ケーシング（１）内において前記第１の収容領域（２）と前記第２の収容領域（４）との間に位置する隔壁（１０）に設けられた透光性の材料からなる連結素子（１２）とを備え、前記連結素子（１２）は、前記光導波路（７）の連結端面（９）と物理的に接触し、前記連結素子（１２）は、前記オプトエレクトロニクス素子（５）に面する側に反射を軽減するために球状に形成された表面領域（１６）を有している連結装置において、
前記連結素子（１２）はレンズ状に形成され、かつ前記連結ケーシング（１）内に直接固定され、
前記隔壁（１０）には、前記連結素子（１２）を収容し保持する切欠（１１）が設けられ、
前記第２の収容領域（４）内には、開口（１７）を有する板ばね（１８）が設けられ、
前記板ばね（１８）は、その開口（１７）を前記切欠（１１）と一致させるようにして前記第２の収容領域（４）内に配置されていることを特徴とする連結装置。
【請求項２】
前記連結素子（１２）は、前記光導波路（７）を前記連結ケーシング（１）に挿入した状態で同光導波路（７）の連結端面（９）と物理的に接触する連結部分の側面が球状に形成されている請求項１記載の連結装置。
【請求項３】
前記連結素子（１２）の軸線方向の寸法が、光学的連結に必要な前記連結素子（１２）の直径とほぼ同じか、又はそれよりも小さく形成されている請求項１記載の連結装置。
【発明の詳細な説明】
【０００１】
【発明の属する技術分野】
本発明は、一方の端部に連結端面が設けられた光導波路をオプトエレクトロニクス素子に接続するための連結装置であって、光導波路の前記端部とオプトエレクトロニクス素子とを収容する連結ケーシング内において光導波路の前記端部とオプトエレクトロニクス素子との間に、透光性の材料から成る連結素子が配置されており、該連結素子が光導波路の連結端面に物理的に接触されるようになっており、前記連結素子が前記オプトエレクトロニクス素子に面した側に反射を軽減する表面領域を有している形式のものに関する。
【０００２】
【従来の技術】
本発明の観点ではオプトエレクトロニクス素子とは送信器または受信器を意味している。送信器として形成されたオプトエレクトロニクス素子は電気的な制御で電気的な信号を光学的な信号に変換し、この光学的な信号は光信号の形で発信される。受信器として形成されたオプトエレクトロニクス素子は光学的な信号を受信すると、この光学的な信号を出力側で検出可能である相応した電気的な信号に変換される。さらに光導波路とは光学的な信号を３次元的に制限してガイドし継送するためのあらゆる装置、特に大量生産される光導波路およびいわゆる「ウェーブガイド」を意味している。
【０００３】
オプトエレクトロニクス的な送信器とオプトエレクトロニクス的な受信器との間の早いビット速度を有する光学的なデータ伝達のために、オプトエレクトロニクス的な送信器への反射が、オプトエレクトロニクス的な送信器の損傷のない運転を保証するように規格で規定されている所定の限界値を超過しないことは必要である。
【０００４】
公知の連結装置では差込部の端部側で位置する半導体が、連結素子と物理的な接触状態にある。連結素子はオプトエレクトロニクス素子に面する側に、反射を減少させる表面領域を有している。この場合連結素子は光導波路区分の形で形成されている。この光導波路区分の軸線方向の寸法は直径よりも複数倍大きい。光導波路区分は差込接続部に含まれている。光導波路区分の、連結端面に面する側の端部は、球状に形成された、差込接続部の第１端面で端成されており、他方で光導波路区分の、オプトエレクトロニクス素子に面する側の端部は斜面の設けられた、差込接続部の第２端面で端成されている。連結ケーシングはオプトエレクトロニクス素子を収容するためにケーシングブロックを有している。このケーシングブロックには差込体と差込接続部とを保持するための差込ブシュとが取り付けられている。差込体と差込接続部との確実な保持を保証するために、この差込ブシュは軸線方向で比較的長く形成されている（ＵＳ５９３７１２２）。
【０００５】
【発明が解決しようとする課題】
本発明の課題は冒頭に記載した形式の連結装置を改良して、連結ケーシングを短くかつ簡単に形成することできるような連結装置を提供することである。
【０００６】
【課題を解決するための手段】
この課題を解決するために本発明の構成では、連結素子がレンズ状に形成されており、連結ケーシング内に直接固定されているようにした。
【０００７】
さらにこの課題を解決するために本発明の別の構成では、連結素子が平行平面板として形成されており、該平行平面板がオプトエレクトロニクス素子に面した側に、反射を軽減する層を有しており、前記平行平面板が直接孤固定されているようにした。
【０００８】
【発明の効果】
本発明による連結装置の主たる利点は、レンズ状に形成された連結素子の軸線方向寸法が、光学的連結に要する連結素子の直径とほぼ同じか、又はそれよりも小さく形成されていることにある。これにより連結装置全体を軸線方向で比較的短く構成することができる。
【０００９】
連結ケーシング内への連結素子の簡単な組付けと、光導波路、連結素子およびオプトエレクトロニクス素子の相互の簡単な調整とに関連して、連結素子が球状体として形成されていると有利である。球状体の回転対称性に基づき、軸位置に関係無く、球状体は一方で光導波路を連結端面に確実に物理的に接触させるために、球状の接触面を常に有しており、他方でオプトエレクトロニクス素子に対応配置された側に球状の表面領域を常に有している。このような球状の表面領域によって、反射される光部分はごくわずかな量しか送信器に戻されないように保証されている。
【００１０】
本発明による連結素子の特に簡単で安価な実施例を、連結素子がケーシングの一体的な構成部分として形成されていることによって実現することができる。これによりこの連結素子を例えば連結ケーシングと一体的に共通の射出成形工程において製造することができる。この連結素子はここではオプトエレクトロニクスに面した側にも斜面を有していてよい。
【００１１】
特に短い構造形は、上記した実施例に対して択一的に、連結素子が平行平面板として形成されており、この平行平面板がオプトエレクトロニクス素子に面した側に、反射を減少させる層を有しており、連結ケーシングに直接固定することによっても可能となる。
【００１２】
本発明の他の実施例は図１〜図６に記載した。
【００１３】
【発明の実施の形態】
次に本発明の実施形態を図面に記載した実施例に基づき詳説する。
【００１４】
図１および図２に示した連結装置の実施例は一体的に形成された連結ケーシング１を有しており、この連結ケーシング１は光導波路差込体３を収容するための第１の円筒状の収容領域２と、オプトエレクトロニクス素子５を収容するための第２の円筒状の収容領域４とを有している。光導波路差込体３はシングルモードの光導波路７の端部６を有しており、この端部６は約５〜９μｍのコア直径を有している。光導波路７は光導波路差込体３の、球状に構成された端面８で端成されているので、光導波路７の連結端面９もまた球状である。第１の収容領域２と第２の収容領域４との間には窓状の切欠１１を有する隔壁１０が位置している。この切欠１１は球状体として加工成形された連結素子１２を収容し保持するために働く。
【００１５】
図１に基づき窓状の切欠１１は光導波路７に面した側に円筒状の孔１３を有しており、この孔１３の直径は球状体として加工成形された連結素子１２の直径に適合していて、光導波路差込体３の直径よりも小さい。この球状体は第１の収容領域２から孔１３内に挿入されている。この球状体のための軸線方向のストッパとしてオプトエレクトロニクス素子５の方向に延びる、切欠１１の円錐状の狭窄部１４が作用する。第２の収容領域４に配置されたオプトエレクトロニクス素子５はオプトエレクトロニクス受信器であってよい。この場合、光導波路７を連結素子１２に物理的に接触させることに基づき、図面では単にシンボル的にだけ示した送信器１５によって放射されシングルモードの光導波路７を介して引き続き伝送される光線が連結素子１２に進入する。この場合、障害となる光導波路７への光線の反射は生じない。この光線は連結素子１２を通過し、球状に形成された表面領域１６に当たり、その結果反射した光のごくわずかな部分しか光導波路７にひいては送信器１５に反射されない。
【００１６】
図２に基づき窓状の切欠１１を、球状体として加工成形された連結素子１２が第２の収容領域４から、この収容領域４に接続した窓状の切欠１１の孔１３内に挿入されるように形成することもできる。光導波路７の方向における球状体用の軸線方向ストッパとして光導波路７の方向に延びる円錐状の狭窄部１４が作用する。第２の収容領域４には開口１７の設けられた板ばね１８が配置されている。この板ばね１８は光導波路差込体３を押し込むことによって球状体に作用する軸線方向の圧力を受容する。これにより光導波路７の連結端面９が、球状体との物理的な接触によって損傷するのを回避することができる。この球状体がガラス球またはプラスチック球として形成されていてよい。オプトエレクトロニクス素子５はオプトエレクトロニクス送信器であってよい。この場合、この送信器から放射された光線は連結素子１２の、球状に湾曲した表面領域１６に当たり、この場合反射した光部分のごくわずかな部分しか、送信器として形成されたオプトエレクトロニクス素子５の光学的に作動する領域１９に反射されない。
【００１７】
図３〜図５に基づきレンズとしての連結素子１２が連結ケーシング１に一体的に、透光性の材料から形成されている。このレンズは図３に基づき両凸レンズまたは図４に基づき平凸レンズであってよい。平凸レンズの場合には、球状に湾曲された表面領域１６はオプトエレクトロニクス素子５に面している。これに対して択一的にレンズは図５に基づき斜面（Ｓｃｈａｅｇｓｃｈｌｉｆｆ）として形成された、オプトエレクトロニクス素子５に面する表面領域１６を有していてよい。
【００１８】
図６に基づき連結素子１６として平行平面板が設けられている。この平行平面板はオプトエレクトロニクス素子５に面した側に反射作用を減少させる層２０を有している。反射を減少させるこの層２０は反射作用によって戻される光線を緩衝する。平行平面板は第１の収容領域２から窓状の切欠１１内に挿入される。窓状の切欠１１は平行平面板用のストッパとしてオプトエレクトロニクス素子５の方向に段状の狭窄部１４を有している。
【図面の簡単な説明】
【図１】連結素子が球状体として形成された連結装置の断面図である。
【図２】連結素子が球状体として形成された連結装置の断面図である。
【図３】連結素子が連結ケーシングと一体的に形成された連結装置の断面図である。
【図４】連結素子が連結ケーシングと一体的に形成された連結装置の断面図である。
【図５】連結素子が連結ケーシングと一体的に形成された連結装置の断面図である。
【図６】平行平面板を有する連結装置の断面図である。
【符号の説明】
１  連結装置、  ２  収容領域、  ３  光導波路差込体、  ４  収容領域、  ５  オプトエレクトロニクス素子、  ６  端部、  ７  光導波路、  ８  端面、９  連結端面、  １０  隔壁、  １１  切欠、  １２  連結素子、  １３  孔、  １４  狭窄部、  １５  送信器、  １６  表面領域、  １７  開口、  １８板ばね、  １９  区分、  ２０  層
【図１】
0004927251.tif 000002
【図２】
0004927251.tif 000003
【図３】
0004927251.tif 000004
【図４】
0004927251.tif 000005
【図５】
0004927251.tif 000006
【図６】
0004927251.tif 000007